(57)【要約】【課題】複数の逆変換ユニットそれぞれの交流出力電流のアンバランスをより柔軟に且つ確実に検出でき、これらの逆変換ユニットに含まれる素子の保護を強化した電源装置及び誘導加熱装置並びに電源装置の制御方法を提供する。【解決手段】誘導加熱装置１の電源装置２は、順変換部１０と、複数の逆変換ユニット２１ａ〜２１ｄを含む逆変換部２０と、逆変換ユニット２１ａ〜２１ｄそれぞれの交流出力電流に対応した交流対応電流を検出する電流検出部３０と、逆変換ユニット２１ａ〜２１ｄそれぞれの交流対応電流を直流電圧に変換する電流電圧変換部４０と、逆変換ユニット２１ａ〜２１ｄそれぞれの直流電圧及びこれらの直流電圧の平均値に基づいて逆変換ユニット２１ａ〜２１ｄそれぞれの前記交流出力電流のアンバランスを検出し、アンバランスを検出した場合に、順変換部１０及び逆変換部２０の運転を停止させるための停止信号を出力するアンバランス検出部５０と、を備える。【選択図】図１
2018060658.tif 000002
【特許請求の範囲】
【請求項１】
交流電源から供給される交流電力を直流電力に変換する順変換部と、
前記順変換部から供給される直流電力を交流電力に逆変換する複数の逆変換ユニットを含む逆変換部と、
前記複数の逆変換ユニットそれぞれの交流出力電流に対応した前記複数の逆変換ユニットそれぞれの交流対応電流を検出する電流検出部と、
前記複数の逆変換ユニットそれぞれの前記交流対応電流を直流電圧に変換する電流電圧変換部と、
前記複数の逆変換ユニットそれぞれの前記直流電圧及び当該直流電圧の平均値に基づいて前記複数の逆変換ユニットそれぞれの前記交流出力電流のアンバランスを検出し、アンバランスを検出した場合に、前記順変換部及び前記逆変換部の運転を停止させるための停止信号を出力するアンバランス検出部と、
を備える電源装置。
【請求項２】
請求項１記載の電源装置であって、
前記複数の逆変換ユニットは、いずれも一つの単位逆変換回路からなる電源装置。
【請求項３】
請求項１又は２記載の電源装置であって、
前記アンバランス検出部は、
前記複数の逆変換ユニットそれぞれの前記直流電圧の平均値を演算し、求めた前記平均値に基づいて前記直流電圧に対する許容範囲の上限値及び下限値を演算する演算部と、
前記逆変換ユニットそれぞれの前記直流電圧と前記上限値及び前記下限値とを比較し、一つ以上の前記逆変換ユニットの前記直流電圧が前記上限値より大きいか又は前記下限値より小さい場合に前記停止信号を出力する比較部と、
を有する電源装置。
【請求項４】
請求項３記載の電源装置であって、
前記演算部による、前記複数の逆変換ユニットそれぞれの前記直流電圧の前記平均値、前記上限値、及び前記下限値の演算と、前記比較部による、前記複数の逆変換ユニットそれぞれの前記直流電圧と前記上限値及び前記下限値との比較と、がリアルタイムに実行される電源装置。
【請求項５】
請求項１から４のいずれか一項記載の電源装置と、
前記電源装置の前記逆変換部から供給される交流電力によって被加熱部を誘導加熱する加熱コイルと、
を備える誘導加熱装置。
【請求項６】
交流電源から供給される交流電力を直流電力に変換する順変換部と、前記順変換部から供給される直流電力を交流電力にそれぞれ逆変換する複数の逆変換ユニットを含む逆変換部と、を備える電源装置の制御方法であって、
前記複数の逆変換ユニットそれぞれの交流出力電流に対応した前記複数の逆変換ユニットそれぞれの交流対応電流を検出し、
前記複数の逆変換ユニットそれぞれの前記交流対応電流を直流電圧に変換し、
前記複数の逆変換ユニットそれぞれの前記直流電圧及び当該直流電圧の平均値に基づいて前記複数の逆変換ユニットそれぞれの前記交流出力電流のアンバランスを検出し、
前記複数の逆変換ユニットそれぞれの前記交流出力電流のアンバランスを検出した場合に、前記順変換部及び前記逆変換部の運転を停止させる電源装置の制御方法。
【請求項７】
請求項６記載の電源装置の制御方法であって、
前記複数の逆変換ユニットは、いずれも一つの単位逆変換回路からなる電源装置の制御方法。
【請求項８】
請求項６又は７記載の電源装置の制御方法であって、
前記複数の逆変換ユニットそれぞれの前記直流電圧の平均値を演算し、求めた前記平均値に基づいて前記直流電圧に対する許容範囲の上限値及び下限値を設定し、
前記複数の逆変換ユニットそれぞれの前記直流電圧と前記上限値及び前記下限値とを比較し、一つ以上の前記逆変換ユニットの前記直流電圧が前記上限値より大きいか又は前記下限値より小さい場合に前記複数の逆変換ユニットそれぞれの前記交流出力電流のアンバランスを検出する電源装置の制御方法。
【請求項９】
請求項８記載の電源装置の制御方法であって、
前記複数の逆変換ユニットそれぞれの前記直流電圧の前記平均値、前記上限値、及び前記下限値の演算と、前記複数の逆変換ユニットそれぞれの前記直流電圧と前記上限値及び前記下限値との比較と、をリアルタイムに実行する電源装置の制御方法。
【発明の詳細な説明】
【技術分野】
【０００１】
本発明は、電源装置及び誘導加熱装置並びに電源装置の制御方法に関する。
【背景技術】
【０００２】
鋼材の熱処理における加熱方式として、加熱コイルに高周波の交流電力を供給し、加熱コイルによって形成される磁界に置かれた鋼材に誘起される誘導電流によって鋼材を加熱する誘導加熱が用いられている。そして、加熱コイルに交流電力を供給する電源装置では、一般に商用電源から供給される低周波の交流電力が直流電力に一旦変換され、直流電力が高周波の交流電力に逆変換されることにより、加熱コイルに供給される高周波の交流電力が生成されている。
【０００３】
加熱コイルに供給される交流電力に応じて複数の逆変換ユニットが並列に用いられる場合があるが、例えば複数の逆変換ユニットそれぞれの配線インダクタンスの差や使用している素子の個体差に起因して、複数の逆変換ユニットそれぞれの交流出力電流にアンバランスが生じる場合がある。そして、複数の逆変換ユニットそれぞれの交流出力電流にアンバランスが生じると、これらの逆変換ユニットに含まれる素子が破壊される虞がある。
【０００４】
特許文献１に記載された電源装置では、複数の逆変換ユニットそれぞれの出力配線に変流器が設置されており、これらの変流器によって複数の逆変換ユニットそれぞれの交流出力電流に対応した複数の逆変換ユニットそれぞれの交流対応電流が検出されている。そして、複数の逆変換ユニットそれぞれの交流対応電流は共通の抵抗に流され、且つ、抵抗に流れる電流の合成がゼロになるように、複数の逆変換ユニットそれぞれの交流対応電流のうち電流アンバランスを検出する一組の組み合わせで相対する片方は逆相で抵抗に流されている。
【０００５】
複数の逆変換ユニットそれぞれの交流出力電流にアンバランスが生じている場合には、抵抗に流れる電流の合成がゼロにならず、抵抗の両端に電位差が生じる。この電位差に基づいて複数の逆変換ユニットそれぞれの交流出力電流のアンバランスが検出され、アンバランスが検出された場合に電源装置の運転が停止される。以上により、複数の逆変換ユニットそれぞれの交流出力電流のアンバランスに起因して、これらの逆変換ユニットに含まれる素子が破壊されることが回避されている。
【先行技術文献】
【特許文献】
【０００６】
【特許文献１】特許第５０５８７４８号公報
【発明の概要】
【発明が解決しようとする課題】
【０００７】
特許文献１に記載された電源装置では、抵抗に流れる電流の合成がゼロになるように、複数の逆変換ユニットそれぞれの交流対応電流のうち電流アンバランスを検出する一組の組み合わせで相対する片方は逆相で抵抗に流されており、逆変換ユニットの個数が基本的に偶数個に制約される。また、交流対応電流が同相で抵抗に流される一群の逆変換ユニットそれぞれの交流出力電流にアンバランスが生じている場合であっても、抵抗に流れる電流の合成がゼロとなる場合があり、このような場合に、逆変換ユニットそれぞれの交流出力電流のアンバランスが検出されない虞がある。
【０００８】
本発明は、上述した事情に鑑みなされたものであり、複数の逆変換ユニットそれぞれの交流出力電流のアンバランスをより柔軟に且つ確実に検出でき、これらの逆変換ユニットに含まれる素子の保護を強化した電源装置及び誘導加熱装置並びに電源装置の制御方法を提供することを目的とする。
【課題を解決するための手段】
【０００９】
本発明の一態様の電源装置は、交流電源から供給される交流電力を直流電力に変換する順変換部と、上記順変換部から供給される直流電力を交流電力にそれぞれ逆変換する複数の逆変換ユニットを含む逆変換部と、上記複数の逆変換ユニットそれぞれの交流出力電流に対応した上記複数の逆変換ユニットそれぞれの交流対応電流を検出する電流検出部と、上記複数の逆変換ユニットそれぞれの上記交流対応電流を直流電圧に変換する電流電圧変換部と、上記複数の逆変換ユニットそれぞれの上記直流電圧及びこれらの直流電圧の平均値に基づいて上記複数の逆変換ユニットそれぞれの上記交流出力電流のアンバランスを検出し、アンバランスを検出した場合に、上記順変換部及び上記逆変換部の運転を停止させるための停止信号を出力するアンバランス検出部と、を備える。
【００１０】
また、本発明の一態様の誘導加熱装置は、上記電源装置と、上記電源装置の上記逆変換部から供給される交流電力によって被加熱部を誘導加熱する加熱コイルと、を備える。
【００１１】
また、本発明の一態様の電源装置の制御方法は、交流電源から供給される交流電力を直流電力に変換する順変換部と、上記順変換部から供給される直流電力を交流電力にそれぞれ逆変換する複数の逆変換ユニットを含む逆変換部と、を備える電源装置の制御方法であって、上記複数の逆変換ユニットそれぞれの交流出力電流に対応した上記複数の逆変換ユニットそれぞれの交流対応電流を検出し、上記複数の逆変換ユニットそれぞれの上記交流対応電流を直流電圧に変換し、上記複数の逆変換ユニットそれぞれの上記直流電圧及びこれらの直流電圧の平均値に基づいて上記複数の逆変換ユニットそれぞれの上記交流出力電流のアンバランスを検出し、上記複数の逆変換ユニットそれぞれの上記交流出力電流のアンバランスを検出した場合に、上記順変換部及び上記逆変換部の運転を停止させる。
【発明の効果】
【００１２】
本発明によれば、複数の逆変換ユニットそれぞれの交流出力電流のアンバランスをより柔軟に且つ確実に検出でき、これらの逆変換ユニットに含まれる素子の保護を強化した電源装置及び誘導加熱装置並びに電源装置の制御方法を提供することができる。
【図面の簡単な説明】
【００１３】
【図１】本発明の実施形態を説明するための、電源装置及び誘導加熱装置の一例のブロック図である。
【図２】図１の電源装置のアンバランス検出部のブロック図である。
【図３】図２のアンバランス検出部が実行する処理のフローチャートである。
【発明を実施するための形態】
【００１４】
図１は、本発明の実施形態を説明するための、電源装置及び誘導加熱装置の一例を示す。
【００１５】
図１に示す誘導加熱装置１は、電源装置２と、加熱コイル３とを備える。電源装置２は、商用の交流電源４から供給される交流電力を直流電力に変換する順変換部１０と、順変換部１０から供給される直流電力を交流電力に逆変換する逆変換部２０とを有する。加熱コイル３は、整合回路５及び変成器６を介して逆変換部２０に接続されており、逆変換部２０から供給される交流電力によって被加熱物Ｗを誘導加熱する。被加熱物Ｗは、導電体であり、例えば鋼材等の金属からなる。
【００１６】
順変換部１０は色々な組み合わせがあり、例えばサイリスタにより位相制御を行いＬＣフィルタで平滑化した直流電力に変換する方法、又はダイオード整流してチョッパーにてＬＣフィルタで平滑化する方法もある。
【００１７】
逆変換部２０は、複数の逆変換ユニットを含み、図示の例では４つの逆変換ユニット２１ａ〜２１ｄを含む。逆変換ユニット２１ａ〜２１ｄは、いずれも一つ以上で同じ数の単位逆変換回路からなる。
【００１８】
単位逆変換回路は、例えばスイッチング動作可能な４つのパワー半導体素子を主体とするフルブリッジ回路によって構成され、４つのパワー半導体素子の所定のスイッチング動作によって高周波の交流電力が生成される。
【００１９】
逆変換ユニット２１ａ〜２１ｄそれぞれの単位逆変換回路におけるパワー半導体素子のスイッチング動作は逆変換制御部２２によって同期制御されており、基本的に同一の位相且つ同一の振幅の電流が逆変換ユニット２１ａ〜２１ｄからそれぞれ出力される。
【００２０】
パワー半導体素子としては、例えばＩＧＢＴ（Insulated Gate Bipolar Transistor、絶縁ゲートバイポーラトランジスタ）や、ＭＯＳＦＥＴ（Metal-Oxide-Semiconductor Field-Effect Transistor、金属酸化物半導体電界効果トランジスタ）といったスイッチング動作可能な各種のパワー半導体素子が使用可能であり、半導体材料として、例えばＳｉ（シリコン）を用いたものや、ＳｉＣ（シリコンカーバイト）を用いたものがある。
【００２１】
電源装置２は、電流検出部３０と、電流電圧変換部４０と、アンバランス検出部５０とをさらに備える。
【００２２】
電流検出部３０は、変流器３１ａ〜３１ｄを含み、逆変換ユニット２１ａ〜２１ｄそれぞれの交流出力電流Ｉａ〜Ｉｄに対応した逆変換ユニット２１ａ〜２１ｄそれぞれの交流対応電流ｉａ〜ｉｄを検出する。
【００２３】
変流器３１ａは逆変換ユニット２１ａの出力配線２３ａに設けられており、出力配線２３ａを変流器３１ａの一次側として、出力配線２３ａに流れる逆変換ユニット２１ａの交流出力電流Ｉａに変流器３１ａの変流比を乗じた電流が変流器３１ａの二次側に流れる。変流器３１ａの二次側に流れる電流が逆変換ユニット２１ａの交流対応電流ｉａとして検出される。
【００２４】
なお、逆変換ユニット２１ａに複数の単位逆変換回路が含まれる場合に、変流器３１ａの一次側には、これらの単位逆変換回路から出力される電流の合成が流れるようにしてもよいし、又はいずれか一つの単位逆変換回路から出力される電流が流れるようにしてもよい。
【００２５】
同様に、逆変換ユニット２１ｂの出力配線２３ｂに設けられた変流器３１ｂによって逆変換ユニット２１ｂの交流対応電流ｉｂが検出され、逆変換ユニット２１ｃの出力配線２３ｃに設けられた変流器３１ｃによって逆変換ユニット２１ｃの交流対応電流ｉｃが検出され、逆変換ユニット２１ｄの出力配線２３ｄに設けられた変流器３１ｄによって逆変換ユニット２１ｄの交流対応電流ｉｄが検出される。
【００２６】
電流電圧変換部４０は、逆変換ユニット２１ａ〜２１ｄそれぞれの交流対応電流ｉａ〜ｉｄを直流電圧Ｖａ〜Ｖｄに変換する。交流対応電流から直流電圧への変換は、交流対応電流毎に行い、例えば交流対応電流を整流して抵抗に流し、抵抗の両端電圧をコンデンサで平滑化すればよい。得られた逆変換ユニット２１ａ〜２１ｄそれぞれの直流電圧Ｖａ〜Ｖｄはアンバランス検出部５０に入力される。
【００２７】
アンバランス検出部５０は、逆変換ユニット２１ａ〜２１ｄそれぞれの直流電圧Ｖａ〜Ｖｄ及びこれらの直流電圧Ｖａ〜Ｖｄの平均値Ｖａｖｇに基づき、逆変換ユニット２１ａ〜２１ｄそれぞれの交流出力電流Ｉａ〜Ｉｄのアンバランスを検出する。
【００２８】
図２は、アンバランス検出部５０の構成を示す。
【００２９】
アンバランス検出部５０は、演算部５１と、比較部５２とを有し、演算部５１は平均値演算部５３、上限値演算部５４、及び下限値演算部５５を含む。
【００３０】
電流電圧変換部４０によって得られた逆変換ユニット２１ａ〜２１ｄそれぞれの直流電圧Ｖａ〜Ｖｄは平均値演算部５３に入力される。平均値演算部５３は、入力された直流電圧Ｖａ〜Ｖｄの平均値Ｖａｖｇ＝（Ｖａ＋Ｖｂ＋Ｖｃ＋Ｖｄ）／４を演算する。
【００３１】
平均値演算部５３によって求められた平均値Ｖａｖｇは、上限値演算部５４及び下限値演算部５５に入力される。上限値演算部５４及び下限値演算部５５は、直流電圧Ｖａ〜Ｖｄに対する許容範囲であって、逆変換ユニット２１ａ〜２１ｄそれぞれの交流出力電流Ｉａ〜Ｉｄがバランスしていると見なせる範囲の上限値及び下限値を定めるものである。
【００３２】
上限値演算部５４は、平均値Ｖａｖｇに基づき、例えば下式に示すように平均値Ｖａｖｇに所定割合を乗することによって上限値Ｖｈｉｇｈを演算する。
Ｖｈｉｇｈ＝Ｖａｖｇ×１．２・・・（１）
なお、式（１）において平均値Ｖａｖｇに乗する所定割合の“１．２”は例示であり、平均値Ｖａｖｇに乗する割合は適宜設定することができる。
【００３３】
下限値演算部５５もまた、平均値Ｖａｖｇに基づき、例えば下式に示すように平均値Ｖａｖｇに所定割合を乗することによって下限値Ｖｌｏｗを演算する。
Ｖｌｏｗ＝Ｖａｖｇ×０．８・・・（２）
なお、式（２）において平均値Ｖａｖｇに乗する所定割合の“０．８”は例示であって、平均値Ｖａｖｇに乗する割合は適宜設定することができる。
【００３４】
上限値演算部５４によって求められた上限値Ｖｈｉｇｈ及び下限値演算部５５によって求められた下限値Ｖｌｏｗは比較部５２に入力される。そして、比較部５２には、逆変換ユニット２１ａ〜２１ｄそれぞれの直流電圧Ｖａ〜Ｖｄがさらに入力される。
【００３５】
比較部５２は、直流電圧Ｖａ〜Ｖｄそれぞれと上限値Ｖｈｉｇｈ及び下限値Ｖｌｏｗとを比較し、直流電圧Ｖａ〜Ｖｄのうち一つ以上の直流電圧が上限値Ｖｈｉｇｈより大きいか又は下限値Ｖｌｏｗより小さい場合に、逆変換ユニット２１ａ〜２１ｄそれぞれの交流出力電流Ｉａ〜Ｉｄにアンバランスが生じているものとして、停止信号を出力する。
【００３６】
比較部５２から出力される停止信号は順変換制御部１１及び逆変換制御部２２に入力される。逆変換制御部２２は、入力された停止信号に基づき、逆変換ユニット２１ａ〜２１ｄそれぞれの単位逆変換回路におけるパワー半導体素子のスイッチング動作を停止させる。これにより、逆変換部２０の運転が停止される。順変換部１０の運転もまた、停止信号が入力された順変換制御部１１によって停止される。
【００３７】
このように、逆変換ユニット２１ａ〜２１ｄそれぞれの交流出力電流Ｉａ〜Ｉｄのアンバランスを検出し、交流出力電流Ｉａ〜Ｉｄのアンバランスを検出した場合に順変換部１０及び逆変換部２０の運転を停止させることにより、逆変換ユニット２１ａ〜２１ｄのうち相対的に過大な電流が流れる一部の逆変換ユニットのパワー半導体素子が破壊されることを回避することができ、さらに一部の逆変換ユニットのパワー半導体素子が破壊されることに伴ってパワー半導体素子の破壊が他の逆変換ユニットに波及することを回避することができ、素子の保護を強化することができる。
【００３８】
好ましくは、逆変換ユニット２１ａ〜２１ｄは、いずれも一つの単位逆変換回路からなり、換言すれば、単位逆変換回路それぞれの交流出力電流のアンバランスを検出することが好ましく、これによれば、より細密に交流出力電流のアンバランスを検出して、素子の保護を一層強化することができる。
【００３９】
そして、逆変換ユニット２１ａ〜２１ｄそれぞれの交流出力電流Ｉａ〜Ｉｄのアンバランスを交流出力電流Ｉａ〜Ｉｄに基づいて直接的に検出することにより、交流出力電流Ｉａ〜Ｉｄのアンバランスを正確に検出することができる。
【００４０】
さらに、逆変換ユニット２１ａ〜２１ｄそれぞれの交流出力電流Ｉａ〜Ｉｄに対応する逆変換ユニット２１ａ〜２１ｄそれぞれの交流対応電流ｉａ〜ｉｄを直流電圧Ｖａ〜Ｖｄに変換し、交流出力電流Ｉａ〜Ｉｄのアンバランスを直流電圧Ｖａ〜Ｖｄと直流電圧Ｖａ〜Ｖｄの平均値Ｖａｖｇとに基づいて検出することにより、逆変換ユニット２１ａ〜２１ｄ毎に、逆変換ユニット２１ａ〜２１ｄそれぞれの交流出力電流Ｉａ〜Ｉｄが相対的に過大であるか又は過小であるかを判定することが可能となる。これにより、逆変換ユニットの個数に制約なく、柔軟に複数の逆変換ユニットそれぞれの交流出力電流のアンバランスを検出することができる。
【００４１】
演算部５１による、直流電圧Ｖａ〜Ｖｄの平均値Ｖａｖｇ、上限値Ｖｈｉｇｈ、及び下限値Ｖｌｏｗの演算と、比較部５２による、直流電圧Ｖａ〜Ｖｄそれぞれと上限値Ｖｈｉｇｈ及び下限値Ｖｌｏｗとの比較とは、好ましくはリアルタイムに処理され、リアルタイムに処理される限りにおいて、演算部５１（平均値演算部５３、上限値演算部５４、下限値演算部５５）及び比較部５２は、アナログ回路で構成されてもよいし、デジタル回路で構成されてもよい。
【００４２】
図３は、アンバランス検出部５０の処理を示す。
【００４３】
アンバランス検出部５０の平均値演算部５３は、逆変換ユニット２１ａ〜２１ｄそれぞれの直流電圧Ｖａ〜Ｖｄが入力されると、直流電圧Ｖａ〜Ｖｄの平均値Ｖａｖｇを演算する（ステップＳ１）。
【００４４】
平均値演算部５３によって求められた平均値Ｖａｖｇは上限値演算部５４及び下限値演算部５５に入力され、上限値演算部５４によって上限値Ｖｈｉｇｈが演算され（ステップＳ２ａ）、下限値演算部５５によって下限値Ｖｌｏｗが演算される（ステップＳ２ｂ）。
【００４５】
平均値演算部５３、上限値演算部５４、及び下限値演算部５５がアナログ回路で構成され、上限値演算部５４及び下限値演算部５５が平均値演算部５３に並列に接続されているものとして、上限値Ｖｈｉｇｈの演算と下限値Ｖｌｏｗの演算とは並行して行われるものとするが、平均値演算部５３、上限値演算部５４、及び下限値演算部５５が、マイクロプロセッサやシーケンサなどを用いたデジタル回路で構成される場合などに、上限値Ｖｈｉｇｈの演算と下限値Ｖｌｏｗの演算とは順次行われても良い。
【００４６】
次に、比較部５２において、逆変換ユニット２１ａ〜２１ｄそれぞれの直流電圧Ｖａ〜Ｖｄが上限値Ｖｈｉｇｈより大きいか否か、及び下限値Ｖｌｏｗより小さいか否かが判定される（ステップＳ３ａ〜Ｓ３ｄ）。
【００４７】
ステップＳ３ａにおいて直流電圧Ｖａが上限値Ｖｈｉｇｈより大きいか若しくは下限値Ｖｌｏｗより小さいと判定された場合（ステップＳ３ａ−Ｙｅｓ）、ステップＳ３ｂにおいて直流電圧Ｖｂが上限値Ｖｈｉｇｈより大きいか若しくは下限値Ｖｌｏｗより小さいと判定された場合（ステップＳ３ｂ−Ｙｅｓ）、ステップＳ３ｃにおいて直流電圧Ｖｃが上限値Ｖｈｉｇｈより大きいか若しくは下限値Ｖｌｏｗより小さいと判定された場合（ステップＳ３ｃ−Ｙｅｓ）、又はステップＳ３ｄにおいて直流電圧Ｖｄが上限値Ｖｈｉｇｈより大きいか若しくは下限値Ｖｌｏｗより小さいと判定された場合（ステップＳ３ｄ−Ｙｅｓ）に、比較部５２は停止信号を出力する（ステップＳ４）。
【００４８】
一方、ステップＳ３ａ〜Ｓ３ｄにおいて、直流電圧Ｖａ〜Ｖｄがいずれも下限値Ｖｌｏｗ以上且つ上限値Ｖｈｉｇｈ以下と判定された場合（ステップＳ３ａ−Ｎｏ、ステップＳ３ｂ−Ｎｏ、ステップＳ３ｃ−Ｎｏ、ステップＳ３ｄ−Ｎｏ）には、ステップＳ１に戻る。
【００４９】
比較部５２がアナログ回路で構成されているものとして、比較部５２における直流電圧Ｖａ〜Ｖｄと上限値Ｖｈｉｇｈ及び下限値Ｖｌｏｗとの比較は並行して行われ、さらには直流電圧Ｖａ〜Ｖｄ毎の上限値Ｖｈｉｇｈより大きいか否かの判定と下限値Ｖｌｏｗより小さいか否かの判定とは並行して行われるものとするが、比較部５２がマイクロプロセッサやシーケンサなどを用いたデジタル回路で構成される場合などに、以上の比較及び判定は順次行われても良い。
【００５０】
以上の処理がリアルタイムに実行されることにより、過渡的な期間に逆変換ユニット２１ａ〜２１ｄそれぞれの交流出力電流Ｉａ〜Ｉｄにアンバランスが生じた場合であっても交流出力電流Ｉａ〜Ｉｄのアンバランスを検出することができ、素子の保護を一層強化することができる。
【符号の説明】
【００５１】
１  誘導加熱装置
２  電源装置
３  加熱コイル
４  交流電源
５  整合回路
６  変成器
１０  順変換部
１１  順変換制御部
２０  逆変換部
２１ａ〜２１ｄ  逆変換ユニット
２２  逆変換制御部
２３ａ〜２３ｄ  出力配線
３０  電流検出部
３１ａ〜３１ｄ  変流器
４０  電流電圧変換部
５０  アンバランス検出部
５１  演算部
５２  比較部
５３  平均値演算部
５４  上限値演算部
５５  下限値演算部
Ｉａ〜Ｉｄ  交流出力電流
ｉａ〜ｉｄ  交流対応電流
Ｖａ〜Ｖｄ  直流電圧
Ｖａｖｇ  平均値
Ｖｈｉｇｈ  上限値
Ｖｌｏｗ  下限値
Ｗ  被加熱物
【図１】
2018060658.tif 000003
【図２】
2018060658.tif 000004
【図３】
2018060658.tif 000005